(57)【特許請求の範囲】
【請求項１】
変圧器本体の外面に対面するように該変圧器本体に固設されている変圧器側板材を、相対位置が不変になるように固定側部材に連結して固定する変圧器の固定構造であって、
固定側部材が該固定側部材の外面に対面するように当該固定側部材に固設されている固定側板材を備えるとともに、
変圧器側板材の一端側の端辺と固定側板材の一端側の端辺とを上下方向から突き合わせた状態にしたときの当該突合せ辺の反対側に位置する該変圧器側板材の非突合せ辺と固定側板材の非突合せ辺のそれぞれに当接させる当接部と、該当接部間に延在して当該当接部間の間隔を調節する調節部とを具備する別部材の取付補助具を有して、
該取付補助具の当接部を変圧器側板材と固定側板材の非突合せ辺のそれぞれに当接させて調節部により該当接部同士の間隔を調節して接近させ変圧器側板材および固定側板材を締め付けることにより互いの相対位置を不変に連結固定することを特徴とする変圧器の固定構造。
【請求項２】
前記変圧器側板材または固定側板材の少なくとも一方が上下方向に開口する固定用空間を画成しており、
前記取付補助具は、固定用空間内に差し込まれる差込形状に形成されているとともに、調節部として、一方の当接部から延在して他方の当接部に貫通する雄ネジ形状部と、該雄ネジ形状部に螺合して一方の当接部に対して他方の当接部を接離方向に位置決めする雌ネジ形状部と、からなる調整機構を備えることを特徴とする請求項１に記載の変圧器の固定構造。
【請求項３】
前記当接部の一方は、変圧器側板材と固定側板材の非突合せ辺の一方に引っ掛けるフック形状に形成されているとともに、該当接部の他方は、変圧器側板材と固定側板材の非突合せ辺の他方に対面接触させて当接させる板形状に形成されていることを特徴とする請求項１または２に記載の変圧器の固定構造。
【請求項４】
前記フック形状の当接部の反対側の当接部は、取付補助具の延在方向と平行で該前記フック形状の当接部を引っ掛ける板材と交差する方向の断面形状が湾曲する板材により構成されて、変圧器側板材と固定側板材の非突合せ辺の他方に凸側湾曲面を当接させることを特徴とする請求項３に記載の変圧器の固定構造。
【請求項５】
前記固定側板材に、変圧器側板材の画成する固定用空間内に差し込まれて該変圧器側板材にネジ止めされるネジ止め部を有することを特徴とする請求項２から４のいずれかに記載の変圧器の固定構造。
【請求項６】
上記請求項１から５のいずれかに記載の変圧器の固定構造により当該変圧器を電柱に固定した状態に取り付ける取付バンドであって、
変圧器本体の外周面に配設されて前記変圧器側板材として機能するハンガ座の上端辺または下端辺に突き合わせた状態にする固定側板材と、
該固定側板材が固設された状態のまま電柱の周囲に取り付けるバンド部と、
ハンガ座と固定側板材の非突合せ辺のそれぞれに当接させる当接部を有するとともに該当接部間の間隔を調節する調節部を有する取付補助具と、を備えることを特徴とする変圧器の取付バンド。
【発明の詳細な説明】
【技術分野】
【０００１】
本発明は、変圧器の固定構造およびその取付バンドに関し、詳しくは、緩むことなく変圧器を固定側部材に連結固定することのできるものに関する。
【背景技術】
【０００２】
従来、電柱の上部に変圧器を取り付けることが行われており、この変圧器は、電柱に巻き付けた取付バンドにより連結支持する方法が多用されている（例えば、特許文献１参照）。
【０００３】
この種の変圧器としては、本体外面から突出するハンガ座を利用して電柱に連結固定する場合があり、この場合には、電柱に巻き付けた取付バンドに同様な形状に形成されている取付金具を設けることにより、そのハンガ座をフック下に引っ掛けるとともにそのフック上を取付金具に引っ掛けた状態にして、そのハンガ座と取付金具とフックとを一緒にナットとボルトによりネジ止め固定することによって、電柱に変圧器を連結固定している（例えば、特許文献２参照）。
【０００４】
また、この文献１に記載の固定構造の変形としては、例えば、図１５に示すように、変圧器本体１００の外面に固設されているハンガ座１１０は、下方に開口するスリット（図６を参照）が前面板１１１の中央に形成されていることから、電柱に巻き付ける取付バンド２００の固定金具２１０の先端側に上方に延在してネジ用穴の開口する固定板２１１を設けるとともに、ハンガ座１１０の前面板１１１の上端辺１１１ａに引っ掛けるフック形状３０１とネジ用穴を有する取付金具３００を用いても変圧器を電柱に固定することができる。この場合には、ハンガ座１１０を固定金具２１０の上に載置して、そのハンガ座１１０内に固定金具２１０の固定板２１１を差し込んだ状態にするとともに、取付金具３００のフック形状３０１をその固定板２１１の上端辺１１１ａに引っ掛けてハンガ座１１０のスリットを介して固定金具２１０の固定板２１１とネジ用穴を合わせることにより、それぞれのネジ用穴にボルト２１２を差し込んでナット２１３を螺合させることによって、取付金具３００と固定金具２１０の固定板２１１の間にハンガ座１１０の前面板１１１を挟み込んで緊締した状態にして変圧器を電柱に連結固定することができる。
【特許文献１】特開平８−１１５８２２号公報（図２）
【特許文献２】特開２０００−１２４６３６号公報（図７〜図９）
【発明の開示】
【発明が解決しようとする課題】
【０００５】
しかしながら、このような従来の変圧器の固定構造にあっては、ナットとボルトにより締め付ける目的の部材の他に別部材（フックや取付金具）を挟み込む状態で締め付けることにより、変圧器側のハンガ座を取付バンド側の固定金具にネジ止め固定する構造であることから、振動などにより緩んでしまい、安全性が損なわれた状態になる虞がある。
【０００６】
そこで、本発明は、他の部材を挟み込む形態で締め付ける構造によらずに、変圧器側と電柱側の部材を相対的に移動しないように連結固定可能な構造を実現することにより、変圧器を電柱に信頼性高く連結固定することを可能にして、変圧器を安全に電柱に取り付けて支持させることのできる変圧器の固定構造を提供することを目的とする。
【課題を解決するための手段】
【０００７】
上記課題を解決する変圧器の固定構造の第１の発明は、変圧器本体の外面に対面するように該変圧器本体に固設されている変圧器側板材を、相対位置が不変になるように固定側部材に連結して固定する変圧器の固定構造であって、固定側部材が該固定側部材の外面に対面するように当該固定側部材に固設されている固定側板材を備えるとともに、変圧器側板材の一端側の端辺と固定側板材の一端側の端辺とを上下方向から突き合わせた状態にしたときの当該突合せ辺の反対側に位置する該変圧器側板材の非突合せ辺と固定側板材の非突合せ辺のそれぞれに当接させる当接部と、該当接部間に延在して当該当接部間の間隔を調節する調節部とを具備する別部材の取付補助具を有して、該取付補助具の当接部を変圧器側板材と固定側板材の非突合せ辺のそれぞれに当接させて調節部により該当接部同士の間隔を調節して接近させ変圧器側板材および固定側板材を締め付けることにより互いの相対位置を不変に連結固定することを特徴とするものである。
【０００８】
この発明では、電柱などに固設された固定側部材の固定側板材と変圧器側板材が互いの一端側端辺（突合せ辺）同士を突き合わせた状態になるように変圧器を設置するとともに、その突合せ辺の反対側に位置する非突合せ辺に別部材の取付補助具の当接部を当接させつつ、その取付補助具の調節部を締め付ける方向に操作することにより、相対位置がずれないように連結固定することができる。したがって、固定側板材と変圧器板材を直接突き合わせた状態で締め付けることができ、別部材が挟まる状態になって緩んでしまうことなく、連結固定することができる。
【０００９】
上記課題を解決する変圧器の固定構造の第２の発明は、上記第１の発明の特定事項に加え、前記変圧器側板材または固定側板材の少なくとも一方が上下方向に開口する固定用空間を画成しており、前記取付補助具は、固定用空間内に差し込まれる差込形状に形成されているとともに、調節部として、一方の当接部から延在して他方の当接部に貫通する雄ネジ形状部と、該雄ネジ形状部に螺合して一方の当接部に対して他方の当接部を接離方向に位置決めする雌ネジ形状部と、からなる調整機構を備えることを特徴とするものである。
【００１０】
この発明では、変圧器側板材または固定側板材の少なくとも一方が備える固定用空間内に、取付補助具の調節部として機能する調整機構の一方の当接部から延在する雄ネジ形状部を差し込んで、その調整機構の他方の当接部を位置決めする雌ネジ形状部を、その雄ネジ形状部に螺合させることにより、その両端側の当接部を変圧器側板材および固定側板材の一端側端辺の非突合せ辺のそれぞれに当接させて締め付けるように調節することができる。したがって、変圧器側板材と固定側板材の構造を利用して上下に開口する固定用空間内に差し込むだけの簡易な構造により容易に連結固定させることができる。
【００１１】
上記課題を解決する変圧器の固定構造の第３の発明は、上記第１または第２の発明の特定事項に加え、前記当接部の一方は、変圧器側板材と固定側板材の非突合せ辺の一方に引っ掛けるフック形状に形成されているとともに、該当接部の他方は、変圧器側板材と固定側板材の非突合せ辺の他方に対面接触させて当接させる板形状に形成されていることを特徴とするものである。
【００１２】
この発明では、変圧器側板材または固定側板材の一方の固定用空間内に向ってフック形状の当接部を引っ掛ける、あるいは、固定用空間内から外側に向ってフック形状の当接部を引っ掛けるとともに、変圧器側板材または固定側板材の他方側に突き合わせた板形状の当接部をそのフック形状の当接部側に接近させることにより、変圧器側板材および固定側板材の一端側端辺の非突合せ辺同士を締め付けることができる。したがって、変圧器側板材と固定側板材の固定用空間を利用して引っ掛けるだけの簡易な構造により容易に連結固定させることができる。
【００１３】
上記課題を解決する変圧器の固定構造の第４の発明は、上記第３の発明の特定事項に加え、前記フック形状の当接部の反対側の当接部は、取付補助具の延在方向と平行で該前記フック形状の当接部を引っ掛ける板材と交差する方向の断面形状が湾曲する板材により構成されて、変圧器側板材と固定側板材の非突合せ辺の他方に凸側湾曲面を当接させることを特徴とするものである。
【００１４】
この発明では、変圧器側板材または固定側板材の固定用空間を利用して引っ掛けるフック形状の反対側の当接部の凸側湾曲面を、その変圧器側板材または固定側板材の非突合せ辺に当接させて締め付けることができる。したがって、フック形状により斜めの姿勢で上2端辺または下端辺に当接する場合でも、確実に当接させて締め付けることができる。
【００１５】
上記課題を解決する変圧器の固定構造の第５の発明は、上記第２から第４のいずれかの発明の特定事項に加え、前記固定側板材に、変圧器側板材の画成する固定用空間内に差し込まれて該変圧器側板材にネジ止めされるネジ止め部を有することを特徴とするものである。
【００１６】
この発明では、固定側板材と変圧器側板材を互いに突き合わさせて締め付けることにより連結固定するのに加えて、変圧器側板材と固定側板材をネジ止め固定することができる。したがって、より確実に変圧器側板材と固定側板材を連結固定することができる。
【００１７】
上記課題を解決する変圧器の取付バンドの第１の発明は、上記の発明の変圧器の固定構造により当該変圧器を電柱に固定した状態に取り付ける取付バンドであって、変圧器本体の外周面に配設されて前記変圧器側板材として機能するハンガ座の上端辺または下端辺に突き合わせた状態にする固定側板材と、該固定側板材が固設された状態のまま電柱の周囲に取り付けるバンド部と、ハンガ座と固定側板材の非突合せ辺のそれぞれに当接させる当接部を有するとともに該当接部間の間隔を調節する調節部を有する取付補助具と、を備えることを特徴とするものである。
【００１８】
この発明では、バンド部により電柱に固設された取付バンドの固定側板材に変圧器側のハンガ座をそれぞれの一端側端辺同士が上下方向から突き合わせた状態になるように変圧器を設置するとともに、その突合せ辺の反対側の非突合せ辺のそれぞれに当接部が当接するように別部材の取付補助具を取り付けて、その当接部の間隔を狭めて締め付ける方向に調節部を操作することにより、相対位置がずれないように連結固定することができる。したがって、取付バンド側の部材と変圧器本体側の部材を直接突き合わせた状態で締め付けることができ、別部材が挟まる状態になって緩んでしまうことなく、連結固定することができる。
【発明の効果】
【００１９】
このように本発明によれば、電柱などに固設された固定側板材と変圧器側板材の一端側端辺同士を直接突き合わせた状態にして締め付けることができ、別部材が挟まることにより緩んでしまうことなく、相対位置がずれないように変圧器を電柱などに連結固定することができる。したがって、変圧器を電柱などに信頼性高く連結固定することができ、変圧器を安全に電柱などに取付・支持させることができる。
【発明を実施するための最良の形態】
【００２０】
以下、本発明の最良の実施形態を図面に基づいて説明する。図１〜図８は本発明に係る変圧器の固定構造を適用した変圧器の取付バンドの第１実施形態を示す図である。
【００２１】
図１および図２において、取付金具１０は、図６に示す変圧器１００を図７に示す電柱Ｐに巻き付けた取付ベルト２００に支持させる取付補助具であり、図１４に示す従来の取付金具３００と略同様な使い勝手で変圧器１００を取付ベルト（固定側部材）２００に信頼性高く連結固定して支持させることができ、電柱Ｐの上部などに変圧器１００を安全に設置することを可能にする。
【００２２】
ここで、変圧器１００は、図６に示すように、電柱Ｐの上部に設置などする際に吊り下げることができるように、横断面形状が略コの字形状になるように作製されているハンガ座（変圧器側板材）１１０が外面の複数箇所に固設されており、このハンガ座１１０は、上下方向に開口する筒形状の空間Ｓ１を変圧器本体１００の外面との間に画成するとともに、その変圧器本体１００の外面に対して略平行な姿勢で対面する前面板１１１の中央部分に下方に開口するスリット１１２が形成されることにより、そのスリット１１２にフックやピン形状を動かないように引っ掛けることができるようになっている。
【００２３】
一方、取付ベルト２００は、図７に示すように、３つのベルト状部（バンド部）２０１を雄ネジ２０２とナット２０３により連結して電柱Ｐの外周を締め付けることができるように設計されている。この取付ベルト２００のベルト状部２０１は、図８に示すように、電柱Ｐの外周の一部に接触可能に湾曲形状に形成された湾曲部２０１ａと、この湾曲部２０１ａの両端側から電柱Ｐの外面から離隔する方向に延在する片状部２０１ｂと、を備えており、このベルト状部２０１は、片状部２０１ｂに開口するネジ用穴２０１ｃに雄ネジ２０２を挿通してナット２０３を螺合させることにより、片状部２０１ｂ同士を接近させることができ、これにより、湾曲部２０１ａを電柱Ｐの外周に圧接させて締め付ける状態に取り付けることができるようになっている。
【００２４】
この取付ベルト２００は、１つのベルト状部２０１の湾曲部２０１ａに固定金具２１０が溶接などされて固設されており、この固定金具２１０は、横断面形状が略Ｕ字形状になるように作製されることにより湾曲部２０１ａとの間に上下方向に開口する筒形状の空間Ｓ２を画成するとともに、そのベルト状部２０１（電柱Ｐ）の外面に対して略平行な姿勢で対面する固定板（固定側板材）２１１を備えるように設計されている。
【００２５】
また、取付ベルト２００の固定金具２１０は、ベルト状部２０１の外面に対して略平行な姿勢で対面する固定板２１１が湾曲部２０１ａと直交する一方向（電柱Ｐの上下方向）に延長されており、その固定板２１１の延長部２１１ａにネジを挿通可能に長穴２１１ｂが形成されている。
【００２６】
これにより、この取付ベルト２００は、固定金具２１０の固定板２１１の延長部２１１ａを変圧器１００のハンガ座１１０の空間Ｓ１内に差し込んでそのハンガ座１１０を固定金具２１０に載せた状態にすることができる。この状態では、固定金具２１０の固定板２１１の長穴２１１ｂがハンガ座１１０のスリット１１２に一致する位置で開口しており、そのスリット１１２は下方に開口しているので、図１４に示す従来の取付金具３００では、そのハンガ座１１０の前面板１１１の上端辺１１１ａにフック形状３０１を引っ掛けて不図示のネジ用穴（図２や図３を参照）と固定金具２１０の固定板２１１の長穴２１１ｂとにボルト２１２を挿通してナット２１３により締め付けることによって、そのボルト２１２がスリット１１２により下方に相対移動して抜けてしまうことを制限しつつ、取付ベルト２００のベルト状部２０１にハンガ座１１０を連結固定して電柱Ｐに変圧器１００を支持させることができる。
【００２７】
しかるに、この固定構造では、変圧器１００のハンガ座１１０を取付ベルト２００の固定金具２１０に押し付けるようにボルト２１２とナット２１３により締め付けても、そのハンガ座１１０には取付金具３００を介して間接的にボルト２１２とナット２１３による緊締力が加えられるので、変圧器１００や電柱Ｐの振動によりその緊締力が緩んでしまう虞がある。
【００２８】
そこで、図１および図２に戻って、本実施形態の取付金具１０は、従来の固定構造と同様に、取付ベルト２００の固定金具２１０の固定板２１１に開口する長穴２１１ｂに挿通させるボルト２１２と、そのボルト２１２に螺合させるナット２１３と、を備えるのに加えて、図１４に示す従来の取付金具３００と略同様に形成された本体部１１の一端部に、ナット１３を螺合させる雄ネジ１２が溶接されているとともに、その雄ネジ１２を挿通させるネジ用穴１５ｂの開口する板状部材１５を使用する。
【００２９】
具体的には、取付金具１０の本体部１１は、図３に示すように、従来の取付金具３００と同様に、変圧器１００のハンガ座１１０の前面板１１１の高さと略同様の長さに形成されて、その上端側に折り返されたフック形状１１ａを備えることにより、そのフック形状部１１ａの先端をハンガ座１１０の画成する空間Ｓ１内に差し込んで前面板１１１に引っ掛けることができるようになっており、これに加えて、そのフック形状１１ａの反対側には、ナット１３の螺合する雄ネジ１２が同一方向に延在するように溶接されて固設されている。
【００３０】
また、この本体部１１は、変圧器１００のハンガ座１１０の前面板１１１の中央に形成されているスリット１１２に一致するように長穴１１ｂが形成されており、これにより、図１４に示す従来の取付金具３００と略同様に、そのハンガ座１１０の前面板１１１の上端辺１１１ａにフック形状１１ａを引っ掛ける状態で、そのスリット１１２と長穴１１ｂと固定金具２１０の固定板２１１の長穴２１１ｂとに、図４（ａ）に示すボルト２１２を挿通して、図４（ｂ）に示すナット２１３を螺合させることにより締め付けることができ、本体部１１がハンガ座１１０の前面板１１１をベルト状部２０１の固定金具２１０に押し付けることにより変圧器１００を取付ベルト２００に連結固定することができる。すなわち、取付ベルト２００の固定金具２１０の前面板１１１が変圧器１００のハンガ座１１０の画成する空間Ｓ１内に差し込まれてネジ止め固定されるネジ止め部を構成している。
【００３１】
また、板状部材１５は、図５に示すように、取付ベルト２００の固定金具２１０の幅よりも長めの長さＬ１に形成されており、その両端側に一面に対して直角に屈折された折曲部１５ａを備えるとともに、その中央にネジ用穴１５ｂが開口している。
【００３２】
これにより、取付金具１０は、取付ベルト２００の固定金具２１０の上端辺（一端側端辺の突合せ辺）２１０ａに変圧器１００のハンガ座１１０の前面板１１１の下端辺（一端側端辺の突合せ辺）１１１ｂを載置させた状態で、本体部１１のフック形状１１ａをそのハンガ座１１０の前面板１１１の上端辺（一端側端辺の非突合せ辺）１１１ａに引っ掛けて固定金具２１０の空間Ｓ内に雄ネジ１２を差し込むとともに、板状部材１５の折曲部１５ａを固定金具２１０の外面に沿うように設置することにより固定金具２１０の下端辺（一端側端辺の非突合せ辺）２１０ｂの両側に板状部材１５を対面接触させて突き合わせた状態にすることができ、本体部１１の雄ネジ１２を板状部材１５のネジ用穴１５ｂに挿通してナット１３を螺合させることができる。この状態で、取付金具１０は、ハンガ座１１０の上端辺１１０ａに当接する本体部１１のフック形状１１ａと固定金具２１０の下端辺２１０ｂに当接する板状部材１５とが接近するように雄ネジ１２とナット１３の螺合位置を調節してその間隔を短くすることにより、互いの相対位置がずれないようにハンガ座１１０（変圧器１００）と固定金具２１０（取付ベルト２００）を締付固定して取り付けることができる。すなわち、取付金具１０は、本体部１１のフック形状１１ａと板状部材１５が当接部を構成しており、本体部１１のフック形状１１ａが固定金具２１０の画成する固定用空間Ｓ２内に差込可能な形状に設計されて、雄ネジ形状部の雄ネジ１２と雌ネジ形状部のナット１３が調節部の調整機構を構成している。
【００３３】
したがって、取付金具１０は、本体部１１の上端側のフック形状１１ａを変圧器１００のハンガ座１１０の前面板１１１に引っ掛けて取付ベルト２００の固定金具２１０の固定板２１１と共にボルト２１２とナット２１３により締め付けることにより変圧器１００のハンガ座１１０を取付ベルト２００の固定金具２１０に従来通りに連結固定することができ、これに加えて、板状部材１５の折曲部１５ａを取付ベルト２００の固定金具２１０に引っ掛けて本体部１１の雄ネジ１２にナット１３を螺合させて締め付けることにより、変圧器１００のハンガ座１１０を取付ベルト２００の固定金具２１０に直接突き合わせた状態にして連結固定することができる。
【００３４】
このように本実施形態においては、変圧器１００のハンガ座１１０にフック形状１１ａを引っ掛ける本体部１１に雄ネジ１２を固設しただけの簡易な構造を用いて、その本体部１１の雄ネジ１２を取付ベルト２００の固定金具２１０内に差し込んで板状部材１５をナット１３によりネジ止め固定するだけで、別部材を挟むことなく、その固定金具２１０にハンガ座１１０を直接上から押し付けて位置ずれしないように連結固定することができ、従来のボルト２１２とナット２１３によるネジ止め固定が緩んでしまうことも制限することができる。したがって、変圧器１００を電柱Ｐの上部に取り付けた取付ベルト２００に強固に連結固定することができ、その連結固定が緩んで位置ずれしてしまうことなく、信頼性高く安全に変圧器１００を電柱Ｐの上部に取付・支持させることができる。
【００３５】
本実施形態の第１の他の態様としては、取付金具１０の本体部１１に長穴１１ｂを形成するだけでなく、例えば、図９に示すように、取付ベルト２００の固定金具２１０の固定板２１１をネジ止めするボルト２１２のネジ用穴１１ｃをハンガ座１１０や固定板２１１の高さに応じた複数箇所に開口させてもよいことは言うまでもない。
【００３６】
また、本実施形態の第２の他の態様としては、取付金具１０の本体部１１への雄ネジ１２の連設も溶接に限るものではないことは言うまでもなく、例えば、図１０に示すように、本体部１１のフック形状１１ａの反対側にその背面方向に屈折する折曲部１１ｄを形成するとともに雄ネジ１２を挿通させる不図示のネジ用穴を開口することにより、その折曲部１１ｄのネジ用穴に雄ネジ１２を挿通してヘッド１２ａを引っ掛けた状態にすることによって連設・固定するようにしてもよい。
【００３７】
次に、図１１および図１２は、本発明に係る変圧器の固定構造を適用した変圧器の取付バンドの第２実施形態を示す図である。ここで、本実施形態は、上述第１実施形態と同様に、変圧器１００のハンガ座１１０を取付ベルト２００の固定金具２１０に連結固定する取付補助具として使用されるものであることから、図６〜図８を流用して説明する。
【００３８】
図１１において、取付金具２０は、上述実施形態の取付金具１０と略同様な全長に棒状部材を変形した本体部２１と、この本体部２１を挿通させるネジ用穴２５ｂの開口する板状部材２５とを組み立てて、ボルト２１２とナット２１３と共に使用するように設計されており、本体部２１の一端側は本体部１１と同様に引っ掛け可能に円弧形状に湾曲するフック形状２１ａに形成されているとともに、その本体部２１の他端側にはネジ山が刻設されてナット２３の螺合する雄ネジ２１ｂが形成されている。
【００３９】
また、板状部材２５は、変圧器１００のハンガ座１１０の幅よりも長めの長さＬ２に形成されており、その両端側には一面に対して直角に屈折された折曲部２５ａを備えるとともに、その中央にネジ用穴２５ｂが開口している。
【００４０】
これにより、取付金具２０は、図１２に示すように、取付ベルト２００の固定金具２１０の上端辺２１０ａに変圧器１００のハンガ座１１０の前面板１１１の下端辺１１１ｂを載置させた状態で、例えば、本体部２１の雄ネジ２１ｂ側を変圧器１００のハンガ座１１０の空間Ｓ１内に下方から差し込んで、取付ベルト２００の固定金具２１０の空間Ｓ２内にフック形状２１ａの先端を差し込んで引っ掛けるとともに、その雄ネジ２１ｂをハンガ座１１０の空間Ｓ１から露出させることができる。そして、取付金具２０は、板状部材２５の折曲部２５ａをハンガ座１１０の外面に沿うように設置することによりハンガ座１１０の上端辺１１０ａの両側に板状部材２５を対面接触させて突き合わせた状態にすることができ、本体部２１の雄ネジ２１ｂを板状部材２５のネジ用穴２５ｂに挿通してナット２３を螺合させることができる。この状態で、この取付金具２０は、そのハンガ座１１０の上端辺１１０ａに当接する板状部材２５と固定金具２１０の固定板２１１の下端辺２１１ｃに当接するフック形状２１ａ側とが接近するように雄ネジ２１ｂとナット２３の螺合位置を調節してその間隔を短くすることにより、互いの相対位置がずれないようにハンガ座１１０（変圧器１００）と固定金具２１０（取付ベルト２００）を締付固定して取り付けることができる。すなわち、取付金具２０は、本体部２１のフック形状２１ａと板状部材２５が当接部を構成しており、雄ネジ形状部の雄ネジ２１ｂを形成されている本体部２１自体がハンガ座１１０の画成する固定用空間Ｓ１内に差込可能な形状に設計されているとともに、そのフック形状２１ａを固定金具２１０の画成する固定用空間Ｓ２内に差込可能な形状に設計されて、雄ネジ形状部の雄ネジ２１ｂと雌ネジ形状部のナット２３が調節部の調整機構を構成している。
【００４１】
このとき、取付金具２０は、取付金具１０と同様に、固定金具２１０の固定板２１１の長穴２１１ｂとハンガ座１１０の前面板１１１のスリット１１２にボルト２１２を挿通してナット２１３を螺合させ締め付けることにより、取付ベルト２００のベルト状部２０１にハンガ座１１０を直接連結固定することができる。
【００４２】
したがって、取付金具２０は、取付ベルト２００の固定金具２１０の固定板２１１と変圧器１００のハンガ座１１０をボルト２１２とナット２１３により締め付けて直接連結固定することができ、これに加えて、本体部２１のフック形状２１ａを固定金具２１０の固定板２１１の下端辺２１１ｃに引っ掛けるとともに、板状部材２５の折曲部２５ａをハンガ座１１０に引っ掛けて本体部２１の雄ネジ２１ｂにナット２３を螺合させて締め付けることにより、変圧器１００のハンガ座１１０を取付ベルト２００の固定金具２１０に直接突き合わせた状態にして連結固定することができる。
【００４３】
このように本実施形態においては、変圧器１００のハンガ座１１０の前面板１１１と取付ベルト２００の固定金具２１０とを直接ネジ止めして連結固定することができるとともに、取付ベルト２００の固定金具２１０に引っ掛け可能なフック形状２１ａと雄ネジ２１ｂを形成されただけの簡易な構造の本体部２１を変圧器１００のハンガ座１１０内に差し込んで板状部材２５をナット２３によりネジ止め固定するだけで、上述実施形態と同様に、別部材を挟むことなく、固定金具２１０にハンガ座１１０を直接上から押し付けて位置ずれしないように連結固定することができ、変圧器１００のハンガ座１１０と取付ベルト２００の固定金具２１０のボルト２１２とナット２１３によるネジ止め固定が緩んでしまうことも制限することができる。したがって、変圧器１００を電柱Ｐの上部に取り付けた取付ベルト２００にさらに確実に連結固定することができ、その連結固定が緩んで位置ずれしてしまうことなく、より信頼性高く安全に変圧器１００を電柱Ｐの上部に取付・支持させることができる。
【００４４】
次に、図１３および図１４は、本発明に係る変圧器の固定構造を適用した変圧器の取付バンドの第３実施形態を示す図である。ここで、本実施形態は、上述第２実施形態と略同様に構成されていることから、同様の構成には同一の符号を付して特徴部分を説明する。
【００４５】
図１３において、取付金具３０は、本体部２１の雄ネジ２１ｂを板状部材３５のネジ用穴３５ｂに挿通して組み立てて、ボルト２１２とナット２１３と共に使用するように設計されており、この板状部材３５は、一面側の表面が短尺方向に湾曲する、所謂、畝形状の凸側湾曲面３５ｃを有するように形成されて、その両端側の折曲部３５ａもその表面に沿うように端辺が湾曲形状に形成されている。
【００４６】
これにより、取付金具３０は、図１４に示すように、取付金具２０と同様に、取付ベルト２００の固定金具２１０の上端辺２１０ａに変圧器１００のハンガ座１１０の前面板１１１の下端辺１１１ｂを載置させた状態にして、本体部２１のフック形状２１ａを取付ベルト２００の固定金具２１０に引っ掛けるとともに、変圧器１００のハンガ座１１０の外面に折曲部３５ａが沿うように上端辺１１０ａの両側に板状部材３５を対面接触させて突き合わせた状態にすることができ、その板状部材２５のネジ用穴３５ａに挿通した本体部２１の雄ネジ２１ｂにナット２３を螺合させることにより、そのハンガ座１１０の上端辺１１０ａに当接する板状部材３５と固定金具２１０の固定板２１１の下端辺２１１ｃに当接するフック形状２１ａ側との間隔を調整して締付固定して取り付けることができる。
【００４７】
このとき、取付金具３０は、変圧器１００のハンガ座１１０の上端辺１１０ａ上に板状部材３５の凸側湾曲面３５ｃが突き当たって本体部２１の延在方向（姿勢）を自由に変化させることができ、取付ベルト２００の固定金具２１０にフック形状２１ａが深く引っ掛かる姿勢をとることができる。なお、この板状部材３５は、両端側の折曲部３５ａの端辺が湾曲形状に形成されているので、板状部材２５と同様に、ハンガ座１１０の上端辺１１０ａを乗り越えて外れてしまうことがない。
【００４８】
したがって、取付金具３０は、本体部２１のフック形状２１ａを固定金具２１０の固定板２１１の下端辺２１１ｃに深く引っ掛けて板状部材３５との間隔を最短に調整することができ、変圧器１００のハンガ座１１０を取付ベルト２００の固定金具２１０に直接突き合わせる状態を確実に維持して連結固定することができる。
【００４９】
このように本実施形態においては、上述第２実施形態による作用効果に加えて、ハンガ座１１０を固定金具２１０に上から押し付けて位置ずれしないように強固に連結固定することができ、変圧器１００のハンガ座１１０と取付ベルト２００の固定金具２１０のネジ止め固定が緩んでしまうことを制限することもできる。したがって、変圧器１００を電柱Ｐの上部に取り付けた取付ベルト２００にさらに確実に連結固定することができ、その連結固定が緩んで位置ずれしてしまうことがなく、より信頼性高く安全に変圧器１００を電柱Ｐの上部に取付・支持させることができる。
【００５０】
ここで、上述第２、第３実施形態では、本体部２１の一端側のフック形状２１ａを湾曲形状に形成する場合を説明するが、これに限るわけではないことは言うまでもなく、例えば、鋭角に屈折するフック形状に形成しても良い。この場合には、そのフック形状を固定金具２１０に深く引っ掛けることができ、当接位置がずれてしまうことを制限して、より信頼性高く連結固定することができる。
【産業上の利用可能性】
【００５１】
これまで本発明の一実施形態について説明したが、本発明は上述の実施形態に限定されず、その技術的思想の範囲内において種々異なる形態にて実施されてよいことは言うまでもない。
【図面の簡単な説明】
【００５２】
【図１】本発明に係る変圧器の固定構造を適用した変圧器の取付バンドの第１実施形態を示す図であり、その全体構成を示す側面からみた立面図である。
【図２】その変圧器に向って正面から見た立面図である。
【図３】その主要部品を示す図であり、（ａ）はその側面図、（ｂ）はその正面図である。
【図４】その他の部品を示す図であり、（ａ）はボルトを示す平面図、（ｂ）はそのナットを示す平面図である。
【図５】その他の主要部品を示す図であり、（ａ）はその側面図、（ｂ）はその平面図である。
【図６】変圧器を示す図であり、（ａ）はその一方向からの正面図、（ｂ）はその直交方向から見た側面図、（ｃ）はその上面図である。
【図７】その取付バンドを示す図であり、電柱に取り付けた状態を示す一部断面平面図である。
【図８】その取付バンドの要部構成を示す図であり、（ａ）はその立面図、（ｂ）はそのＡ−Ａ縦断面図である。
【図９】その主要部品の第１の他の形態を示す正面図である。
【図１０】その主要部品の第２の他の形態を示す図であり、（ａ）はその側面図、（ｂ）はその正面図である。
【図１１】本発明に係る変圧器の固定構造を適用した変圧器の取付バンドの第２実施形態の主要部品を示す図であり、（ａ）はその側面図、（ｂ）はその正面図である。
【図１２】その使用時の状態の全体構成を示す側面から見た立面図である。
【図１３】本発明に係る変圧器の固定構造を適用した変圧器の取付バンドの第３実施形態の主要部品を示す図であり、（ａ）はその側面図、（ｂ）はその正面図である。
【図１４】その使用時の状態の全体構成を示す側面から見た立面図である。
【図１５】その従来技術を示す図であり、その使用時の状態の全体構成を示す側面から見た立面図である。
【符号の説明】
【００５３】
１０、２０、３０……取付金具    １１、２１……本体部    １１ａ、２１ａ……フック形状    １２、２１ｂ……雄ネジ    １３、２３……ナット    １５、２５、３５……板状部材    １５ａ、２５ａ、３５ａ……折曲部    ３５ｃ……凸側湾曲面    １００……変圧器    １１０……ハンガ座    １１０ａ……上端辺    １１１……前面板    １１１ａ……上端辺    １１１ｂ……下端辺    ２００……取付ベルト    ２０１……ベルト状部    ２０１ａ……湾曲部    ２０１ｂ……片状部    ２０２……雄ネジ    ２０３……ナット    ２１０……固定金具    ２１０ａ……上端辺    ２１０ｂ……下端辺    ２１１……固定板    ２１１ａ……延長部    ２１１ｂ……長穴    ２１１ｃ……下端辺    ２１２……ボルト    ２１３……ナット
【図１】
0004874036.tif 000002
【図２】
0004874036.tif 000003
【図３】
0004874036.tif 000004
【図４】
0004874036.tif 000005
【図５】
0004874036.tif 000006
【図６】
0004874036.tif 000007
【図７】
0004874036.tif 000008
【図８】
0004874036.tif 000009
【図９】
0004874036.tif 000010
【図１０】
0004874036.tif 000011
【図１１】
0004874036.tif 000012
【図１２】
0004874036.tif 000013
【図１３】
0004874036.tif 000014
【図１４】
0004874036.tif 000015
【図１５】
0004874036.tif 000016